(57)【要約】【課題】  ディスク媒体を装置内に装填するための開口部を開閉する扉であって装置の外部方向へ開くように回動可能に形成された開閉扉を備えたディスク媒体記録再生装置であって、回転中のディスク媒体の破損等が生じた場合であっても、ディスク媒体の破片などが装置の外部へ飛び出すことの防止が図られたディスク媒体記録再生装置の提供。【解決手段】  フラップ（開閉扉）１５の内面側の、ディスク媒体２３と同一平面の延長線Ｌ上よりフラップ（開閉扉）１５の回転軸１５ｂから遠い側に、凸部１５ａを前記同一平面と略並行となるように形成することにより、装置内部から飛び出そうとするディスク媒体２３の破片などを、当該凸部１５ａによって係止し（図４（ｂ））、装置外にディスク媒体２３の破片などが飛び出すことを防止する。【選択図】  図４
2006244530.tif 000002
【特許請求の範囲】
【請求項１】
ディスク媒体から信号の読込み若しくは書込み又は読書きを行うディスク装置と、前記ディスク媒体を装置内に装填するための開口部と、当該開口部を開閉する扉であって装置の外部方向へ開くように回動可能に形成された開閉扉と、を備えるディスク媒体記録再生装置であって、前記開閉扉の内面側の、前記ディスク媒体が当該ディスク媒体記録再生装置内に装填されている状態における前記ディスク媒体と同一平面の延長線上より前記開閉扉の回転軸から遠い側に、連続若しくは断続した凸部を前記同一平面と略並行となるように形成したことを特徴とするディスク媒体記録再生装置。
【請求項２】
前記ディスク装置は、当該ディスク装置の外枠を構成するフレームに対して摺動可能に設けられた前記ディスク媒体を載置するためのディスクトレイを備え、前記開口部は、前記ディスクトレイを装置の外部へ露呈させるためのディスクトレイ排出口であることを特徴とする請求項１記載のディスク媒体記録再生装置。
【請求項３】
前記連続若しくは断続した凸部の高さは、少なくとも前記ディスク媒体の厚さより高いことを特徴とする請求項１又は請求項２に記載のディスク媒体記録再生装置。
【発明の詳細な説明】
【技術分野】
【０００１】
本発明は、ディスク媒体記録再生装置に関し、特に、記録や再生のために回転しているディスク媒体が破損した場合等に、ディスク媒体が装置の外部に飛び出すことを防止したディスク媒体記録再生装置に関する。
【背景技術】
【０００２】
ＣＤやＤＶＤに代表されるディスク媒体は、その取り扱いの容易さ等の理由により広く利用されており、これらのディスク媒体の記録／再生を行うディスク媒体記録再生装置も広く普及している。ディスク媒体の記録／再生等の動作時には、ディスク媒体を高速で回転させるため、回転中にディスク媒体を保持する機構（クランパ機構）になんらかの不具合が生じた場合や、ディスク媒体が破損した場合（通常、再生中にディスクが破損することは考え難いものであるが、ユーザが傷の入ったディスクを使用した場合等には生じ得る）などには、ディスク媒体若しくはその破片が飛散し、装置の外部に飛び出してしまう虞がある。このような問題に対する従来技術が、特許文献１などによって開示されている。
【０００３】
【特許文献１】特開２００２−１３３８５２号公報
【発明の開示】
【発明が解決しようとする課題】
【０００４】
上記特許文献によって開示される従来技術では、ディスク媒体を載置するためのディスクトレイ上と、ディスクトレイに対向する筐体上に突条を形成し、両突条の垂直方向の隙間をディスク媒体の厚さより小さくすることで、ディスク媒体の破片がディスク装置の外部に飛散することがないようにしたものである。当該技術によれば、ディスク媒体の破片がディスク装置の外部に飛散することが有効に防止されるものであるが、ディスクトレイ上であって、ディスク媒体を載置する場所の近傍に凸部（突条）を形成するため、ディスク媒体を載置する際に、当該凸部とディスク媒体の記録面側が接触し、記録面を傷つけてしまう虞があるものであり、又、ディスクトレイ上とディスクトレイに対向する筐体上の両突条の間がディスク媒体の厚さより小さいため、ディスク媒体を載置する際に、ディスク媒体が傾いて載置（ディスクトレイ上の突条に乗った場合）され、このままディスクトレイが装置内に収納された場合、ディスク媒体が両突条の間に挟まれてしまい、装置の動作を阻害すると共に、ディスク媒体を傷つけてしまう虞があるものであった。
【０００５】
本発明は、上述した点に鑑みてなされたものであり、ディスク媒体を装置内に装填するための開口部を開閉する扉であって装置の外部方向へ開くように回動可能に形成された開閉扉を備えたディスク媒体記録再生装置であって、回転中のディスク媒体の破損等が生じた場合であっても、ディスク媒体の破片などが装置の外部へ飛び出すことの防止が図られたディスク媒体記録再生装置を提供することを目的とする。
【課題を解決するための手段】
【０００６】
請求項１のディスク媒体記録再生装置は、ディスク媒体から信号の読込み若しくは書込み又は読書きを行うディスク装置と、前記ディスク媒体を装置内に装填するための開口部と、当該開口部を開閉する扉であって装置の外部方向へ開くように回動可能に形成された開閉扉と、を備えるディスク媒体記録再生装置であって、前記開閉扉の内面側の、前記ディスク媒体が当該ディスク媒体記録再生装置内に装填されている状態における前記ディスク媒体と同一平面の延長線上より前記開閉扉の回転軸から遠い側に、連続若しくは断続した凸部を前記同一平面と略並行となるように形成したことを特徴とする。
【０００７】
上記構成によれば、開閉扉の内面側の、ディスク媒体が装置内に装填されている状態におけるディスク媒体と同一平面の延長線上より開閉扉の回転軸から遠い側に、凸部が形成されるため、回転中のディスク媒体が破損し、その破片が遠心力によりディスク媒体と同一平面の延長線上の方向に飛散した場合であって開閉扉の内面側に衝突したような場合に、当該衝突の衝撃により開閉扉が開くように回動しても、ディスク媒体の破片は、開閉扉の内面側に形成された凸部より開閉扉の回転軸側に接触するため、開閉扉の回動が進むに従い、凸部に係止されて開閉扉の回転軸側へと外力を受けることとなる。なお、「ディスク媒体記録再生装置」とは、記録及び再生動作の双方を行う装置に限るというものではなく、記録機能を有しない再生装置（いわゆる再生専用機など）も含むものであり、また、その他の機能（例えばテレビ）を有する複合装置（例えば、ディスク媒体記録再生装置内蔵テレビ）をも含むものである。
【０００８】
請求項２のディスク媒体記録再生装置は、請求項１記載のディスク媒体記録再生装置であって、前記ディスク装置は、当該ディスク装置の外枠を構成するフレームに対して摺動可能に設けられた前記ディスク媒体を載置するためのディスクトレイを備え、前記開口部は、前記ディスクトレイを装置の外部へ露呈させるためのディスクトレイ排出口であることを特徴とする。
【０００９】
上記構成によれば、いわゆるトレイタイプのディスク装置において、回転中のディスク媒体が破損し、その破片が開閉扉の内面側に衝突したような場合に、当該衝突の衝撃により開閉扉が開くように回動しても、ディスク媒体の破片は、開閉扉の回動が進むに従い、凸部に係止されて開閉扉の回転軸側へと外力を受けることとなる。
【００１０】
請求項３のディスク媒体記録再生装置は、請求項１又は請求項２に記載のディスク媒体記録再生装置であって、前記連続若しくは断続した凸部の高さは、少なくとも前記ディスク媒体の厚さより高いことを特徴とする。
【００１１】
上記構成によれば、開閉扉の内面側の凸部の高さが、ディスク媒体の厚さより高く形成されるため、回転中のディスク媒体が破損し、その破片が開閉扉の内面側に衝突したような場合に、当該破片の凸部による係止をより確実なものとすることができる。
【発明の効果】
【００１２】
本発明の請求項１の、ディスク媒体から信号の読込み若しくは書込み又は読書きを行うディスク装置と、前記ディスク媒体を装置内に装填するための開口部と、当該開口部を開閉する扉であって装置の外部方向へ開くように回動可能に形成された開閉扉と、を備えるディスク媒体記録再生装置であって、前記開閉扉の内面側の、前記ディスク媒体が当該ディスク媒体記録再生装置内に装填されている状態における前記ディスク媒体と同一平面の延長線上より前記開閉扉の回転軸から遠い側に、連続若しくは断続した凸部を前記同一平面と略並行となるように形成したことを特徴とするディスク媒体記録再生装置によれば、回転中のディスク媒体が破損し、その破片が遠心力によりディスク媒体と同一平面の延長線上の方向に飛散した場合であって開閉扉の内面側に衝突したような場合に、当該衝突の衝撃により開閉扉が開くように回動しても、ディスク媒体の破片は、開閉扉の内面側に形成された凸部より開閉扉の回転軸側に接触するため、開閉扉の回動が進むに従い、凸部に係止されて開閉扉の回転軸側へと外力を受けることとなる。従って、飛散したディスク媒体の破片は、前記外力によって回転モーメントを受けることとなり、これにより回転した破片の、開口部（ディスク媒体を装置内に装填するための開口部）側から見た射影面積が増大することとなる（通常時において同方向から見たディスク媒体の射影面積は、ディスクの厚さ×直径しかない）。よって、飛散したディスク媒体の破片が、装置の外部へと飛び出してしまうことを抑止することができる（開口部側から見た射影面積が増大することで、開口部を通過することができなくなる）。
【００１３】
本発明の請求項３の、前記連続若しくは断続した凸部の高さは、少なくとも前記ディスク媒体の厚さより高いことを特徴とする請求項１又は請求項２に記載のディスク媒体記録再生装置によれば、開閉扉の内面側の凸部の高さが、ディスク媒体の厚さより高く形成されるため、回転中のディスク媒体が破損し、その破片が開閉扉の内面側に衝突したような場合に、当該破片の凸部による係止をより確実なものとすることができる。従って、飛散したディスク媒体の破片が、装置の外部へと飛び出してしまうことをより確実に抑止することができる。
【発明を実施するための最良の形態】
【００１４】
以下、本発明の具体的実施例について、図面を参照しながら説明する。なお、以下の実施態様は、本発明を具体化する際の一形態であって、本発明をその範囲内に限定するためのものではない。
【００１５】
図１は本発明に係るＤＶＤプレーヤの天板を外した状態の概略を示す斜視図であり、図２は同ＤＶＤプレーヤの正面部分に備えられるフラップ（開閉扉）を示す図である。
【００１６】
図１に示されるように、ディスク媒体（ＤＶＤ）の再生装置であるＤＶＤプレーヤ１は、映像信号や音声信号の処理を行う映像・音声信号処理部や装置全体の制御を行う制御部などを備えるメイン基板１１と、当該メイン基板１１とは別個に形成される電源基板１２と、ディスク媒体（ＤＶＤ）２３からの信号の読込みを行うＤＶＤ再生ユニット（ディスク装置）１３などを筐体１４（天板１４ａ・シャーシ１４ｂ・フロントパネル１４ｃ）内に備える。フロントパネル１４ｃには、表示管（図示せず）の表示を透過する表示部１４ｃ２、装置に対する入力インターフェースである操作部１４ｃ３などと共に、ＤＶＤ再生ユニット１３のディスクトレイ１３ａが出入りするディスクトレイ排出口（開口部）１４ｃ１が形成される。さらにフロントパネル１４ｃには、ディスクトレイ排出口１４ｃ１を開閉する扉であって装置の外部方向へ開くように回動可能に形成されたフラップ１５（開閉扉）が設けられる。当該フラップ１５は、図示しないバネ材などによって扉が閉じるように付勢されており、ディスク媒体２３の出し入れ時には、ディスクトレイ１３ａの進退に応じて（ディスクトレイ１３ａに押し出される形で）フラップ１５も開閉する。
【００１７】
図２及び図３に示されるように、フラップ１５の内面側（フロントパネル１４ｃと対向する側）には、高さがディスク媒体２３の厚さより高い凸部１５ａが形成される。図４は図１中のＡ−Ａ線に沿った断面の概略を示した図である。図４（ａ）に示されるように、凸部１５ａは、フラップ１５がＤＶＤプレーヤ１に組みつけられた状態で、フラップ１５の内面側の、ディスク媒体２３が装置内に装填されている状態におけるディスク媒体２３と同一平面（ディスク媒体２３の上面側と同一平面）の延長線Ｌ上よりフラップ１５の回転軸１５ｂから見て遠い側に、前記同一平面と略並行となるように形成される。
【００１８】
図７は従来のＤＶＤプレーヤ（フラップ７５の内面側に凸部が形成されていないもの）の断面の概略を示した図である（なお、本実施例と同様のものには同一の符号を使用している）。図７に示されるように、従来のＤＶＤプレーヤ７において、ディスク媒体２３の回転中にディスク媒体２３を保持する機構（クランパ機構）になんらかの不具合が生じた場合や、ディスク媒体２３が破損した場合などであって、ディスク媒体２３若しくはその破片が遠心力によりディスク媒体２３と同一平面の延長線上の方向（ディスク外周の法線方向）に飛散した場合であってフラップ７５の内面側に衝突したような場合に、当該衝突の衝撃によりフラップ７５が開くように回動し、そのまま押し切られるようにフラップ７５が開き（ディスク媒体２３とフラップ７５の接点がすべるようにしてフラップ７５を押し開き）、ディスク媒体２３若しくはその破片が装置の外部に飛び出してしまう虞がある（図７（ｂ））ものであった。なお、フラップ７５はバネ材（図示せず）によって閉まるように付勢されているため、比較的小さな破片の衝撃に対しては当該バネ材の付勢力によって、「フラップ７５が開くように回動」することが抑止され、破片が装置外に飛び出すことも防止されるといえる。これに対し、破片が大きい場合や、クランパ機構の破損等によりディスク媒体２３がそのまま飛んだ場合などには、バネ材の付勢力では抗しきれず、破片等が装置外に飛び出す虞があるものであった。（バネを強化することで、大きな衝撃にも耐え得るようにすることも考えられるが、この場合ディスクトレイ１３ａの進退動作を阻害する虞や、フラップ７５が閉じる際の「音」が大きくなり、装置の商品力を低下させるものとなってしまう。）
【００１９】
これに対し、本実施例のＤＶＤプレーヤ１によれば、図４に示されるように、ディスク媒体２３若しくはその破片が遠心力によりディスク媒体２３と同一平面の延長線Ｌ上の方向に飛散した場合であってフラップ１５の内面側に衝突したような場合に、当該衝突の衝撃によりフラップ１５が開くように回動しても、ディスク媒体２３の破片は、フラップ１５の内面側に形成された凸部１５ａよりフラップ１５の回転軸１５ｂ側に接触するため、フラップ１５の回動が進むに従い、凸部１５ａに係止されてフラップ１５の回転軸１５ｂ側へと外力Ｆを受けることとなる（図４（ｂ））。従って、飛散したディスク媒体２３の破片は、外力Ｆによって回転モーメントを受けることとなり、これにより回転した破片の、ディスクトレイ排出口１４ｃ１（開口部）側から見た射影面積が、増大することとなる（通常時において同方向から見たディスク媒体２３の射影面積は、ディスクの厚さ×直径しかない）。よって、ディスクトレイ排出口１４ｃ１側から見た射影面積が増大することで、ディスクトレイ排出口１４ｃ１を通過することができなくなるため、飛散したディスク媒体２３の破片が、装置の外部へと飛び出してしまうことを抑止することができるのである。（破片がきわめて小さい場合には、その“射影面積”も小さく、「ディスクトレイ排出口１４ｃ１を通過できない」とはいい難いが、前述のごとく、破片がきわめて小さい場合にはその衝撃も小さく、バネ材の付勢力によって（場合によってはバネ材の付勢力によるまでも無く、フラップ１５の慣性モーメントによって）フラップ１５が開くことが防止される。）なお、実際には、装置内には各部材が高密度で搭載されているため、図４（ｂ）に示されるように、回転した（凸部１５ａによってその進行方向を制限された）ディスク媒体２３は、各部材と複数の点で接触することによりその運動エネルギーを失うような形となる（図では、凸部１５ａ部分と、ディスクトレイ１３ａの先端部分と、クランパ支持部１３ｂとに接触する（挟まれる）ことにより、これ以上装置前方側へと進めない状態になっている）。従って、「ディスクトレイ排出口１４ｃ１を通過できない」というよりは、「凸部１５ａによってその進行方向を制限されることで運動エネルギーを失い、装置の外部へ勢い良く飛び出すことがない」というものとなる。
【００２０】
なお、凸部１５ａは図３に示されるような長手方向に連続した「リブ」であるものに限られず、図５に示されるように、断続した凸部１５ｃによって形成されてもよい（図５に示した凸部１５ｃでは、フラップ１５の長手方向に沿った長さの方が短手方向に沿った長さより長いものとしているが、逆に、フラップ１５の長手方向に沿った長さの方が短手方向に沿った長さより短いものとしてもよいし、凸部の形状自体が「矩形」のものに限られず、円形状のものや多角形状のもの等であっても構わない。加えて、凸部は、図３若しくは図５に示されるような、１本のライン若しくは１本のライン上に形成されるものに限られず、複数のラインとして形成されるものであっても良い）。また、本実施例では凸部１５ａの高さをディスク媒体２３の厚みより高くすることで、ディスク媒体２３若しくはその破片の凸部１５ａによる係止を有効なものとしているが、より詳細には、フラップ１５が回動することによって、ディスクトレイ排出口１４ｃ１とフラップ１５との間の隙間の鉛直方向の長さ（図６中のｘ）がディスク媒体２３の厚さと同様となる際（すなわち、ディスク媒体２３が水平方向に飛び出せる状態）の、鉛直面に対するフラップ１５の角度をθとすると、ｄ（ディスク媒体２３の厚さ）×ｓｉｎθより高い高さを凸部１５ａが有していれば、ディスク媒体２３若しくはその破片の飛び出し防止効果を得られるといえる。なお、実際に行った試行の結果、凸部１５ａの高さが３ｍｍ程度ある場合（試行に使用したディスク媒体の厚さが１．２ｍｍ程度であるため、ディスクの厚さの約２．５倍程度）に「破片の飛び出し防止効果」を有効に得られることが確かめられた。
【００２１】
実施例においては、再生装置の一例としてＤＶＤプレーヤを用いて説明したが、本発明をこれに限るものではなく、ＤＶＤレコーダなどの記録再生装置にも適用できるのは勿論のこと、その他のディスク媒体記録再生装置であるＣＤ記録／再生装置、ＬＤ記録／再生装置など、及び、これらのディスク媒体記録再生装置を内蔵した複合装置（例えばＤＶＤ内蔵ＬＣＤや、ディスク装置を有するパソコン等）などに有効に適用することができる。また、本実施例では、いわゆる“トレイタイプ”のディスク装置を例として説明したが、“スロットインタイプ”のディスク装置に対しても、装置の外部方向へ開くように回動可能に形成されたフラップ（開閉扉）が設けられたものであれば、有効に適用することができる。
【図面の簡単な説明】
【００２２】
【図１】ＤＶＤプレーヤの天板を外した状態の概略を示す斜視図
【図２】フラップを示す図であり、（ａ）：正面図、（ｂ）：平面図、（ｃ）：背面図、（ｄ）：左側面図、（ｅ）：右側面図
【図３】フラップの斜視図
【図４】図１のＡ−Ａ線に沿った概略断面図
【図５】別のフラップの斜視図
【図６】ディスク媒体がフラップ内面側に衝突した状態を説明するための概略図
【図７】従来のＤＶＤプレーヤの概略断面図
【符号の説明】
【００２３】
１      ＤＶＤプレーヤ（ディスク媒体再生装置）
１３    ＤＶＤ再生ユニット（ディスク装置）
１３ａ  ディスクトレイ
１４    筐体
１４ｃ  フロントパネル
１４ｃ１  ディスクトレイ排出口（開口部）
１５    フラップ（開閉扉）
１５ａ・１５ｃ  凸部
１５ｂ  回転軸
２３    ディスク媒体
【図１】
2006244530.tif 000003
【図２】
2006244530.tif 000004
【図３】
2006244530.tif 000005
【図４】
2006244530.tif 000006
【図５】
2006244530.tif 000007
【図６】
2006244530.tif 000008
【図７】
2006244530.tif 000009